(57)【要約】【課題】開閉・揺動可能な原稿載置台を開閉した際に、原稿を押さえる部材が邪魔になったり、誤って破損させたりしない原稿搬送装置を提供する。【解決手段】原稿１を積載する開閉・揺動可能な原稿テーブル２と、積載された原稿を１枚ずつ分離給送する分離給送手段と、分離給送された原稿を読取位置２０５に搬送する搬送手段と、読み取り後の原稿を排出する排出手段と、排出された原稿を受ける排紙トレイ７と、排紙トレイ７上に排出された原稿１を押さえる押さえ部材３１とを有する原稿搬送装置において、押さえ部材３１を、前記排出手段の近傍の、原稿テーブル２と別体の部材である分岐爪１６に設けた。【選択図】図２
2014047067.tif 000002
【特許請求の範囲】
【請求項１】
原稿を積載する揺動可能な原稿積載台と、積載された原稿を１枚ずつ分離給送する分離給送手段と、分離給送された原稿を読取位置に搬送する搬送手段と、読み取り後の原稿を排出する排出手段と、排出された原稿を受ける原稿受け台と、該原稿受け台上に排出された原稿を押さえる原稿押さえ部材とを有する原稿搬送装置において、
前記原稿押さえ部材を、前記原稿積載台とは別体の部材に設けたことを特徴とする原稿搬送装置。
【請求項２】
請求項１記載の原稿搬送装置において、
前記原稿押さえ部材を、前記排出手段の近傍に設けたことを特徴とする原稿搬送装置。
【請求項３】
請求項１または２記載の原稿搬送装置において、
前記読取位置で原稿の第１面の画像を読み取り後、原稿の第２面の画像を読み取るべく該原稿を反転させるためのスイッチバック経路と、該スイッチバック経路に設けられた反転手段と、原稿の第１面の画像を読み取り後、原稿の搬送経路を前記スイッチバック経路に切り替える経路切替部材とを有し、
前記別体の部材が、前記経路切替部材であることを特徴とする原稿搬送装置。
【請求項４】
請求項３記載の原稿搬送装置において、
前記原稿押さえ部材は、前記経路切替部材が前記スイッチバック経路に切り替える動作をしても、前記排出された原稿を押さえる機能を有していることを特徴とする原稿搬送装置。
【請求項５】
請求項４記載の原稿搬送装置において、
前記経路切替部材は、前記原稿搬送装置本体に支持された軸を中心として揺動可能に支持されており、
前記原稿押さえ部材は、基端部が前記経路切替部材における前記軸の近傍に揺動可能に支持され、自由端部が前記排出された原稿を押さえるべく延在していることを特徴とする原稿搬送装置。
【請求項６】
請求項１ないし５の何れか１つに記載の原稿搬送装置を有することを特徴とする画像読取装置。
【請求項７】
請求項１ないし５の何れか１つに記載の原稿搬送装置を有することを特徴とする画像形成装置。
【発明の詳細な説明】
【技術分野】
【０００１】
本発明は、原稿搬送装置、画像読取装置および画像形成装置に関し、詳しくは、複写機、ファクシミリ、プリンタ、プロッタ、印刷機、これら２つ以上の機能を併せ持つ複合機等の画像形成装置に搭載される原稿を搬送する原稿搬送装置に関する。
【背景技術】
【０００２】
複写機、ファクシミリ、プリンタ、プロッタ、印刷機、フィニッシャー等の画像形成装置に搭載される原稿搬送装置において、排出された原稿を押さえる部材を設けたものが知られている（例えば、特許文献１および２参照）。
【０００３】
特許文献１および２の何れにおいても、原稿を押さえる部材は原稿排出部上方に設け、その揺動支点は開閉・揺動可能な原稿を載せる台（以下、「原稿載置台」という）の下部に設けている。特許文献２の例では、図２に示されているように原稿セット部（３５）における原稿供給トレイ（３８）の軸部（４７）がそれに該当する。
【発明の概要】
【発明が解決しようとする課題】
【０００４】
しかしながら、上述の技術では、原稿を押さえる部材を開閉・揺動可能な原稿載置台に設けた場合、原稿載置台を開放したとき、原稿を押さえる部材も一緒についてくるので、邪魔になったり、誤って原稿を押さえる部材を破損させたりする虞がある。
【０００５】
本発明は、上述の問題点を解決し、揺動可能な原稿載置台を揺動した際に、原稿を押さえる部材が邪魔になったり、誤って破損させたりしない原稿搬送装置を提供することを目的とする。
【課題を解決するための手段】
【０００６】
請求項１記載の発明は、原稿を積載する揺動可能な原稿積載台と、積載された原稿を１枚ずつ分離給送する分離給送手段と、分離給送された原稿を読取位置に搬送する搬送手段と、読み取り後の原稿を排出する排出手段と、排出された原稿を受ける原稿受け台と、該原稿受け台上に排出された原稿を押さえる原稿押さえ部材とを有する原稿搬送装置において、前記原稿押さえ部材を、前記原稿積載台とは別体の部材に設けたことを特徴とする。
【発明の効果】
【０００７】
本発明によれば、上記構成により、原稿載置台を揺動したとき、原稿押さえ部材が一緒についてこないので、原稿押さえ部材が邪魔になったり、誤って原稿押さえ部材を破損させたりする不具合を解消することができる。
【図面の簡単な説明】
【０００８】
【図１】本発明の一実施形態を示す原稿搬送装置等の簡略的な一部断面正面図である。
【図２】一実施形態の原稿テーブルの開閉揺動動作を説明する簡略的な一部断面正面図である。
【図３】一実施形態の押さえ部材の取り付け部位を説明する要部の斜視図である。
【図４】一実施形態の押さえ部材を取り付けるための分岐爪の取り付け用の穴を説明する分岐爪の斜視図である。
【図５】一実施形態の分岐爪の穴に押さえ部材のボスを取り付ける方法を説明する要部の斜視図である。
【図６】原稿の片面を読み取る際の一実施形態の原稿搬送動作推移を説明する簡略的な拡大一部断面正面図である。
【図７】原稿の両面を読み取る際の一実施形態の原稿搬送動作推移を説明する簡略的な拡大一部断面正面図である。
【図８】図７に続く一実施形態の原稿搬送動作推移を説明する簡略的な拡大一部断面正面図である。
【図９】図８に続く一実施形態の原稿搬送動作推移を説明する簡略的な拡大一部断面正面図である。
【図１０】図９に続く一実施形態の原稿搬送動作推移を説明する簡略的な拡大一部断面正面図である。
【図１１】本発明の別の実施形態を示す原稿搬送装置等の簡略的な一部断面正面図である。
【発明を実施するための形態】
【０００９】
以下、図を参照して実施例を含む本発明の実施の形態を詳細に説明する。実施形態等に亘り、同一の機能および形状等を有する構成要素（部材や構成部品等）については、混同の虞がない限り一度説明した後では同一符号を付すことによりその説明を省略する。図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００１０】
図１を参照して、本発明を適用した原稿搬送装置等の全体構成を説明する。図１は、本発明の一実施形態を示す原稿搬送装置の全体構成図である。原稿搬送装置は、広義的にはシート搬送装置の一種であるが、ここでは一般的にＡＤＦと略称されている原稿搬送装置を実施形態例としている。なお、原稿搬送装置の駆動方法等は、本発明の特徴ではなく、公知の技術内容であるため簡単に説明するに留める。
【００１１】
原稿搬送装置１００は、画像読取装置２００の本体上に搭載されている。また、画像読取装置２００は、画像形成装置３００の本体上に搭載されている。画像形成装置３００については後述する。
原稿搬送装置１００は、原稿束１Ａを積載する原稿積載台としての原稿テーブル２と、積載された原稿束１Ａを最上位から１枚ずつ順に分離給送する分離給送手段を備えた分離給送部ａと、分離給送された原稿を読取位置２０５に搬送する搬送手段を備えた搬送部ｂと、読み取り後の原稿を排出する排出手段を備えた排出部ｃと、読取位置２０５で原稿の第１面の画像を読み取り後、原稿の第２面の画像を読み取るべく該原稿を反転させるためのスイッチバック経路および反転手段等を備えた反転部ｄと、排出された原稿を受ける原稿受け台としての排紙トレイ１７と、排紙トレイ１７上に排出された原稿を押さえる原稿押さえ部材としての押さえ部材３１とを具備する。
【００１２】
原稿テーブル２は、原稿搬送装置本体に対して開閉・揺動可能に構成されている。具体的には、原稿テーブル２は、図１に示すように反転従動ローラ１９の軸を中心として、原稿束１Ａを積載する積載位置（図２では２点鎖線で示す）と、図２に示すように開いた開位置との間で開閉・揺動可能になっている。
原稿テーブル２上には、読み取られる原稿束１Ａが画像面を上向きの状態でセットされ、さらに原稿束１Ａはサイドフェンス３によって搬送方向と直交する幅方向の位置決めを行われる。
【００１３】
分離給送部ａは、ストップ爪４に当接（突き当てた状態に接することを意味する。以下同じ）されている原稿束１Ａの先端給紙側に接する位置まで変位可能、かつ、回転可能な呼出しコロ５と、搬送方向に回転（図の時計回り）し呼出しコロ５にて呼び出された原稿１を取り込むベルトからなる給紙部材６と、搬送方向と逆方向に回転し給紙された原稿１の最上位の１枚のみを分離する分離部材７等とから構成される。
呼出しコロ５、給紙部材６、分離部材７は、分離給送部ａの分離給送手段として機能する。なお、呼出しコロ５は、図示していないソレノイドで、給紙部材６および分離部材７等は、図示していないモータにて駆動される。
【００１４】
分離搬送された原稿１をコンタクトガラス２０２上の読取位置２０５まで搬送するための搬送部ｂは、入口ローラ対８，９、出口ローラ対１１，１２等から構成されている。入口ローラ対８，９は、入口駆動ローラ８と入口従動ローラ９とで構成されている。出口ローラ対１１，１２は、出口駆動ローラ１１と出口従動ローラ１２とで構成されている。入口駆動ローラ８および出口駆動ローラ１１は、図示していないモータにて駆動される。
入口ローラ対８，９および出口ローラ対１１，１２は、搬送部ｂの搬送手段として機能する。
【００１５】
分離給送部ａと搬送部ｂとの間の搬送経路には、突き当てセンサ２０、レジストセンサ２１が配設（配置して設けること、または位置を決めて設けることを意味する。以下同じ）されている。符号１０は、読取ガイド部材を示す。
【００１６】
原稿１の第１面および第２面の画像面を読み取る読取部２０１は、図示していない露光ランプや第１ミラー、およびレンズ等の光学系等を有し、コンタクトガラス２０２の下方の画像読取装置２００の本体に設けられている。画像読み取りの際、この露光ランプおよび第１ミラーを、コンタクトガラス２０２の下方で図１の左右方向に移動させるか、あるいは読取位置２０５下方で停止させる等して、露光ランプによって画像面に光を照射する。その後、原稿の画像面の反射光を第１ミラーおよび光学系を介して画像形成装置３００の感光体ドラム（図示せず）に結像して、その感光体ドラムに形成された静電潜像にトナー等を付着させて記録紙に転写したり、あるいは前記反射光を第１ミラーおよび光学系を介してＣＣＤ等からなるイメージセンサに結像し、そのイメージセンサにて光信号を電気信号に変換して、様々な画像形成手段を用いてシート状記録媒体としての記録紙に画像を転写する。
【００１７】
なお、本実施形態の原稿搬送装置１００は、図示していないヒンジ等の連結部材によって画像読取装置２００の本体に連結され、開閉自在に構成されている。画像読取装置２００側に配設されているコンタクトガラス２０２は、本体側ガイド２０３と本体側ガイド２０４とに支持されている。
【００１８】
排出部ｃは、３連の排紙ローラ群１３，１４，１５を有し、このうちの排紙ローラ対１３，１４が排出手段として機能する。排紙ローラ対１３，１４は、排紙駆動ローラ１３と排紙下従動ローラ１４とで構成されている。排紙ローラ対１３，１４は、図示していないモータで駆動される。
【００１９】
反転部ｄは、原稿の第１面の画像を読み取り後、原稿の搬送経路をスイッチバック経路に切り替える経路切替部材としての分岐爪１６と、排紙上従動ローラ１５を含む排紙ローラ群１３，１４，１５と、正逆転可能な反転ローラ対１８，１９とで構成されている。反転ローラ対１８，１９は、反転駆動ローラ１８および反転従動ローラ１９とで構成されていて、反転手段として機能する。反転駆動ローラ１８は、図示していない正逆転可能なモータで駆動される。
【００２０】
分岐爪１６は、原稿テーブル２とは別体の部材として機能する。分岐爪１６は、原稿搬送装置１００の本体に支持されている軸１６ａを中心として原稿搬送装置１００の本体に揺動可能に支持されている。分岐爪１６は、図示していない引張りバネとソレノイドとの組み合わせにより、図３等に示すＡ位置と図４等に示すＡ１との間で揺動変位可能に構成されている。
【００２１】
押さえ部材３１は、その基端部が排紙ローラ対１３，１４の近傍に設けられている。押さえ部材３１は、基端部が分岐爪１６における軸１６ａの近傍に揺動可能に支持され、自由端部が排出された原稿を押さえるべく延在している。押さえ部材３１は、原稿押さえ部材としての基本的な機能、すなわち排出される原稿と自由端部が接触し、基端部（図５に示すボス３１ａ，３１ｂ）を中心として揺動することで排紙トレイ１７に着地する原稿の排出位置のばらつきを低減する機能を有している。これにより、排紙トレイ１７から取り出した原稿ないしは原稿束を手作業により揃える際の手間を軽減できるようになっている。
【００２２】
図３〜図５は、押さえ部材３１を分岐爪１６に取り付けた斜視図である。分岐爪１６および押さえ部材３１は、それぞれ、軽量化および安価に形成するため適宜の樹脂で一体的に形成されている。分岐爪１６には、図４に示すように、押さえ部材３１の基端部の支点となる穴１６ａ，１６ｂが形成されており、押さえ部材３１に一体的に形成されたボス３１ａ、３１ｂが嵌め込まれる。嵌め込む際には、押さえ部材３１の矢印Ｃ方向への弾性を利用して弾撥的に嵌め込む。
上記のとおり、押さえ部材３１は、その基端部が分岐爪１６における軸１６ａの近傍に揺動可能に支持され、自由端部が排出された原稿を押さえるべく延在している。
以上説明した構成により、押さえ部材３１は排紙トレイ１７に着地する原稿の排出位置のばらつきを低減して、排出された原稿の揃えを向上する機能を発揮できるようになる。
【００２３】
次に、原稿搬送装置１００の要部動作を説明する。この動作は、周知であり本発明の特徴でもないため簡単に説明するに留める。原稿１の片面（例えば第１面：表面）のみ読み取る場合は、図６に示すように分岐爪１６はＡの位置に待機しており、排紙ローラ対１３、１４の原稿排出方向の回転により、原稿１は分岐爪１６の下面に形成される片面搬送経路を通り、押さえ部材３１の自由端部に当接し、押さえ部材３１を図において反時計回りに揺動させつつ排紙トレイ１７に着地、スタックされる。排紙トレイ１７に着地された原稿１は、押さえ部材３１の自重による図において時計回りの揺動によって排出位置のばらつきを低減した状態に押さえつけられる。この際、押さえ部材３１はＢの位置を占める。この際、反転ローラ対１８，１９は駆動されない。
【００２４】
原稿１の両面を読み取る場合は、片面（例えば第１面：表面）読み取り後、図７に示すように分岐爪１６はＡ１方向に揺動し、原稿１は分岐爪１６の上面を通り、原稿排出方向に回転している反転ローラ対１８，１９に進入する。この時、押さえ部材３１の自由端部の先端はＢ１の位置へ微量移動する。
図８から図９に示すように、原稿１の後端が排紙センサ２２を通過し、排紙下ローラ対１３，１４を通過した後、分岐爪１６はＡの位置へ復帰すると同時に押さえ部材３１もＢの位置へ復帰する。次いで、図１０に示すように、反転ローラ対１８，１９の逆転開始により原稿１の先端と後端との搬送方向の向きが逆転・スイッチバックされ、原稿１は逆回転状態にある排紙上ローラ対１３，１５に進入し、反対面（例えば第２面：裏面）を読み取るため、反転経路２３を経由して再度入口ローラ対８，９へと搬送される。
【００２５】
本実施形態によれば、上述の構成および動作により、押さえ部材３１の基端部が分岐爪１６に設けられているので、図２に示したように原稿テーブル２を矢印Ｄ方向に開いても押さえ部材３１の位置は変化せず、原稿１を押さえる機能を維持している。従って、原稿テーブル２を開閉・揺動したとき、押さえ部材３１が一緒についてこないので、押さえ部材３１が邪魔になったり、誤って押さえ部材３１を破損させたりする不具合を解消することができる。
また、押さえ部材３１を排紙ローラ対１３，１４の近傍に設けたので、小サイズの原稿に対しても上記効果を奏する。
【００２６】
図７で説明したとおり、分岐爪１６はＡ１方向に揺動すると、押さえ部材３１の先端はＢ１の位置へ微量移動する。これは、分岐爪１６の揺動支点と、押さえ部材３１の揺動支点であるボス３１ａ，３１ｂ取り付け部との距離が近いことにより、分岐爪１６が揺動しても押さえ部材３１の移動に対する影響が小さくなり、その結果押さえ部材３１の移動量も少なくなる。そのため、分岐爪１６が揺動しても、押さえ部材３１の機能が損なわれることがない。換言すれば、分岐爪１６がスイッチバック経路に切り替える動作しても、連動して動く押さえ部材３１の移動量が小さいので、排出された原稿を押さえることができる。
【００２７】
上記実施形態では、押さえ部材３１を分岐爪１６に設けたが、これに限らず、原稿テーブル２以外の原稿搬送装置１００本体や他の部材に揺動可能に設けてもよい。加えて、押さえ部材３１を排紙ローラ対１３，１４近傍に設けることが好ましい。
【００２８】
図１１を参照して、図１〜図１０に示した一実施形態とは別の実施形態を説明する。図１１に示す別の実施形態の原稿搬送装置１００Ａは、図１〜図１０に示した一実施形態の原稿搬送装置１００と比較して、原稿の片面のみを読取搬送可能に構成されている点、および押さえ部材３１を原稿テーブル２とは別体の部材である本体側板２４に設けた点が主に相違する。具体的には原稿搬送装置１００Ａは、原稿搬送装置１００と比較して、反転部ｄを構成する分岐爪１６、排紙上従動ローラ１５、反転ローラ対１８，１９および反転経路２３を除去し、押さえ部材３１を排紙ローラ対１３，１４近傍の不動部材である本体側板２４に設けた点が相違する。
【００２９】
押さえ部材３１の基端部の本体側板２４に対する取り付け方法は、図３〜図５に示したと同様である。図１１に示す別の実施形態においても、図１〜図１０に示した一実施形態と同様の効果を奏することは無論である。
【００３０】
上記実施形態では画像形成装置として感光体ドラムを有する電子写真方式の複写機を用いた例を示したが、本発明が適用可能な画像形成装置はこれに限定されず、プリンタ、プロッタ、ファクシミリ、フィニッシャー、孔版印刷機を含む印刷機、これら２つ以上の機能を併せ持つ複合機、感光体を複数有するカラー複写機等の他の画像形成装置にも本発明は適用可能である。
【符号の説明】
【００３１】
１  原稿
２  原稿テーブル（原稿積載台の一例）
５  呼出しコロ（分離給送手段の一例）
６  給紙部材（分離給送手段の一例）
７  分離部材（分離給送手段の一例）
８  入口駆動ローラ（搬送手段の一例）
９  入口従動ローラ（搬送手段の一例）
１１  出口駆動ローラ（搬送手段の一例）
１２  出口従動ローラ（搬送手段の一例）
１３  排紙駆動ローラ（排出手段の一例）
１４  排紙下従動ローラ（排出手段の一例）
１５  排紙上従動ローラ
１６  分岐爪（経路切替部材の一例）
１７  排紙トレイ（原稿受け台の一例）
１８  反転駆動ローラ（反転手段の一例）
１９  反転従動ローラ（反転手段の一例）
３１  押さえ部材（原稿押さえ部材の一例）
１００，１００Ａ  原稿搬送装置
２００  画像読取装置
２０１  読取部
２０２  コンタクトガラス
２０５  読取位置
３００  画像形成装置
【先行技術文献】
【特許文献】
【００３２】
【特許文献１】特開２００２−２１１８１４号公報
【特許文献２】特開２０１１−２０７８３号公報
【図１】
2014047067.tif 000003
【図２】
2014047067.tif 000004
【図３】
2014047067.tif 000005
【図４】
2014047067.tif 000006
【図５】
2014047067.tif 000007
【図６】
2014047067.tif 000008
【図７】
2014047067.tif 000009
【図８】
2014047067.tif 000010
【図９】
2014047067.tif 000011
【図１０】
2014047067.tif 000012
【図１１】
2014047067.tif 000013